(57)【要約】      （修正有）【課題】熱中症のリスクを抑制するマスク用ファン及びマスクを提供する。【解決手段】マスク用ファン１’は、人物が顔に着用するマスクの内部に装着されるマスク用ファン１’であって、所定の厚みを有し、表裏面が形成された略板形状のファンユニットと、ファンユニットの周囲を覆って当該ファンユニットを内部に収容する中空のカバーと、を備える。ファンユニットは、表面側に気体を吸い込む吸い込み部を有すると共に、厚み部分に位置する側面の一部に気体を吹き出す吹き出し部を有し、カバーは、ファンユニットの吸い込み部を覆う面に、外部と内部とを連通させる吸い込み口１１を有すると共に、ファンユニットの吹き出し部を覆う側面に、外部と内部とを連通させる吹き出し口１２を有し、カバーの吸い込み口１１が形成された面がマスクの内面に対向して、マスクの内部に装着されるよう構成されている。【選択図】図３
0003228733.tif 000002
【実用新案登録請求の範囲】
【請求項１】
人物が顔に着用するマスクの内部に装着されるマスク用ファンであって、
所定の厚みを有し、表裏面が形成された略板形状のファンユニットと、
前記ファンユニットの周囲を覆って当該ファンユニットを内部に収容する中空のカバーと、
を備え、
前記ファンユニットは、表面側に気体を吸い込む吸い込み部を有すると共に、厚み部分に位置する側面の一部に気体を吹き出す吹き出し部を有し、
前記カバーは、前記ファンユニットの前記吸い込み部を覆う面に、当該カバーの外部と内部とを連通させる吸い込み口を有すると共に、前記ファンユニットの前記吹き出し部を覆う側面に、当該カバーの外部と内部とを連通させる吹き出し口を有し、
前記カバーの前記吸い込み口が形成された面が前記マスクの内面に対向して、当該マスクの内部に装着されるよう構成されている、
マスク用ファン。
【請求項２】
請求項１に記載のマスク用ファンであって、
前記ファンユニットと前記カバーとの外周縁の形状は、それぞれ同一の角数の多角形に形成されており、
前記ファンユニットと前記カバーとの外周縁の同一箇所に位置する１つの辺に対応するそれぞれの側面に、前記吹き出し部と前記吹き出し口とを有する、
マスク用ファン。
【請求項３】
請求項１に記載のマスク用ファンであって、
前記ファンユニットと前記カバーとの外周縁の形状は、それぞれ矩形に形成されており、
前記ファンユニットと前記カバーとの外周縁の形状である矩形の同一箇所に位置する１つの辺に対応するそれぞれの側面に、前記吹き出し部と前記吹き出し口とを有する、
マスク用ファン。
【請求項４】
請求項１乃至３のいずれかに記載のマスク用ファンであって、
前記カバーの前記吹き出し口が形成された側面が上方を向くよう、前記マスクの内部に装着されるよう構成されている、
マスク用ファン。
【請求項５】
請求項１乃至４のいずれかに記載のマスク用ファンが内部に配置されたマスクであって、
前記マスク用ファンを構成する前記カバーの前記吸い込み口が前記マスクの内面に対向されて配置された状態で、前記マスク用ファンを前記マスクの内部に装着する装着具を有する、
マスク。
【請求項６】
請求項５に記載のマスクであって、
前記装着具は、前記マスク用ファンを構成する前記カバーの前記吹き出し口が前記マスクの上方を向いて配置された状態で、前記マスク用ファンを前記マスクの内部に装着する、
マスク。
【請求項７】
請求項５又は６に記載のマスクであって、
前記装着具は、前記マスク用ファンを前記マスクの下端付近に位置するよう当該マスクの内部に装着する、
マスク。
【考案の詳細な説明】
【技術分野】
【０００１】
本考案は、マスク用ファン及びマスクに関する。
【背景技術】
【０００２】
感染症対策や衛生のために、マスクを着用する必要性が高まっており、日常的に着用することが多々ある。このため、特許文献１に記載のように、マスクの使用時における装着感の向上を図ることが課題となっている。
【先行技術文献】
【特許文献】
【０００３】
【特許文献１】特開２０１９−２６９５７号公報
【考案の概要】
【考案が解決しようとする課題】
【０００４】
ここで、さらに近年では、感染症の流行により、季節を問わず一年中マスクを着用することが求められている。ところが、マスクの内部は高温・多湿状態であるため、例えば、夏の高温・多湿といった環境下でマスクを着用する場合には、体温のさらなる上昇を招き、熱中症のリスクが高くなる、という問題が生じる。
【０００５】
このため、本考案の目的は、上述した課題である、熱中症のリスクを抑制することができるマスク用ファン及びマスクを提供することにある。
【課題を解決するための手段】
【０００６】
本考案の一形態であるマスク用ファンは、
人物が顔に着用するマスクの内部に装着されるマスク用ファンであって、
所定の厚みを有し、表裏面が形成された略板形状のファンユニットと、
前記ファンユニットの周囲を覆って当該ファンユニットを内部に収容する中空のカバーと、
を備え、
前記ファンユニットは、表面側に気体を吸い込む吸い込み部を有すると共に、厚み部分に位置する側面の一部に気体を吹き出す吹き出し部を有し、
前記カバーは、前記ファンユニットの前記吸い込み部を覆う面に、当該カバーの外部と内部とを連通させる吸い込み口を有すると共に、前記ファンユニットの前記吹き出し部を覆う側面に、当該カバーの外部と内部とを連通させる吹き出し口を有し、
前記カバーの前記吸い込み口が形成された面が前記マスクの内面に対向して、当該マスクの内部に装着されるよう構成されている、
という構成をとる。
【０００７】
また、上記マスク用ファンでは、
前記ファンユニットと前記カバーとの外周縁の形状は、それぞれ同一の角数の多角形に形成されており、
前記ファンユニットと前記カバーとの外周縁の同一箇所に位置する１つの辺に対応するそれぞれの側面に、前記吹き出し部と前記吹き出し口とを有する、
という構成をとる。
【０００８】
また、上記マスク用ファンでは、
前記ファンユニットと前記カバーとの外周縁の形状は、それぞれ矩形に形成されており、
前記ファンユニットと前記カバーとの外周縁の形状である矩形の同一箇所に位置する１つの辺に対応するそれぞれの側面に、前記吹き出し部と前記吹き出し口とを有する、
という構成をとる。
【０００９】
また、上記マスク用ファンでは、
前記カバーの前記吹き出し口が形成された側面が上方を向くよう、前記マスクの内部に装着されるよう構成されている、
という構成をとる。
【００１０】
また、本発明の一形態であるマスクは、
前記マスク用ファンが内部に配置されたマスクであって、
前記マスク用ファンを構成する前記カバーの前記吸い込み口が前記マスクの内面に対向されて配置された状態で、前記マスク用ファンを前記マスクの内部に装着する装着具を有する、
という構成をとる。
【００１１】
また、上記マスクでは、
前記装着具は、前記マスク用ファンを構成する前記カバーの前記吹き出し口が前記マスクの上方を向いて配置された状態で、前記マスク用ファンを前記マスクの内部に装着する、
という構成をとる。
【００１２】
また、本発明の一形態であるマスクは、
前記装着具は、前記マスク用ファンを前記マスクの下端付近に位置するよう当該マスクの内部に装着する、
という構成をとる。
【考案の効果】
【００１３】
本考案は、以上のように構成されることにより、熱中症のリスクを抑制することができるマスク用ファン及びマスクを提供することができる。
【図面の簡単な説明】
【００１４】
【図１】マスク用ファンを構成するファンユニットの外観を示す正面図である。
【図２】マスク用ファンを構成するカバーの外観を示す斜視図である。
【図３】マスク用ファンによる気体の流れを示す図である。
【図４】マスク用ファンを装着したマスクを示す図である。
【図５】マスク用ファンを装着したマスクを人物が着用したときの様子を示す図である。
【図６】マスク用ファンを装着したマスクの他の例を示す図である。
【考案を実施するための形態】
【００１５】
＜実施形態１＞
本考案の第１の実施形態を図１乃至図６を参照して説明する。本実施形態におけるマスク用ファン１’は、図１に示すファンユニット２と、当該ファンユニット２を内部に収容する図２に示すカバー１と、を備えて構成されている。以下、各構成について詳述する。
【００１６】
図１に示すように、ファンユニット２は、外周縁の形状が略正方形であり、所定の厚みを有し、表裏面が形成された略板形状に形成されている。そして、ファンユニット２は、内部にブロア構造のランナー２０、つまり円筒状に配したランナー２０を収容しており、ファンユニット２の表裏面とほぼ垂直方向の回転軸を中心として回転するよう構成されている。なお、ファンユニット２は、図示しないがバッテリーを搭載しており、バッテリーの電力によりランナー２０を回転させることができる。例えば、バッテリーは充電可能なよう構成されている。
【００１７】
そして、ファンユニット２は、ランナー２０の回転により、回転軸方向に沿って気体を吸い込み、回転軸にほぼ垂直な向きに旋回流を発生させて気体を吹き出すよう構成されている。ここで、図１ではファンユニット２の表面側を図示しており、この例では、ファンユニット２は、かかる表面側から気体を吸い込み、厚み部分に位置する側面の一部、図２の例では上方に位置する側面から気体を吹き出すよう構成されている。つまり、ファンユニット２は、図２に示す表面側に吸い込み部が形成されており、図２の上方に位置する側面に吹き出し部が形成されている。
【００１８】
図２に示すように、カバー１は、外周縁の形状が略正方形であり、所定の厚みを有する中空部材である。つまり、カバー１は、上述したファンユニット２よりも一回り大きく形成された中空部材であり、ファンユニット２の周囲を覆って当該ファンユニット２を内部に収容可能なよう形成されている。
【００１９】
具体的に、カバー１は、内部に収容された状態のファンユニット２の表面側に位置して当該表面側を覆う表面側カバー部材１０Ａと、ファンユニット２の裏面側に位置して当該裏面側を覆う裏面側カバー部材１０Ｂと、を備えている。そして、表面側カバー部材１０Ａには、外周縁に位置する４辺それぞれから当該表面側カバー部材１０Ａの面に対して垂直方向である裏面側カバー部材１０Ｂ方向に延設された側面が形成されている。かかる側面は、カバー１の厚み部分に位置しており、内部に収容されるファンユニット２の側面を覆うこととなる。
【００２０】
そして、カバー１の表面側に位置する表面側カバー部材１０Ａの面、つまり、内部に収容されるファンユニット２の表面側に位置する吸い込み部を覆う面には、カバー１の外部と内部とを連通させる吸い込み口１１が形成されている。ここで、図２に例では、吸い込み口１１は、複数の扇形形状の貫通孔、換言すると、中心から放射状にリブが形成された円形状の貫通孔、にて形成されているが、吸い込み口１１の形状はいかなる形状であってもよい。
【００２１】
また、表面側カバー部材１０Ａの側面のうち上面、つまり、内部に収容されるファンユニット２の上面に位置する吹き出し部を覆う側面には、カバー１の外部と内部とを連通させる吹き出し口１２が形成されている。ここで、図１の例では、吹き出し口１２は、３つの長方形の貫通孔と、２つのスリット形状の貫通孔とで形成されているが、吹き出し口１２の形状はいかなる形状であってもよい。
【００２２】
以上のように、マスク用ファン１’はファンユニット２がカバー１の内部に収容されて構成されており、その外観形状は、図３に示すように所定の厚みを有する略正方形に形成されている。そして、マスク用ファン１’の表面側には、カバー１の吸い込み口１１及びファンユニット２の吸い込み部が位置している。また、マスク用ファン１’の側面のうち、略正方形である表面の１つの辺つまり上方に位置する辺に対応する上面には、カバー１の吹き出し口１２及びファンユニット２の吹き出し部が位置している。このように、カバー１の吸い込み口１１及びファンユニット２の吸い込み部がマスク用ファン１’の表面側といった同一箇所に位置していることによって、図３の矢印Ａ１に示すように、マスク用ファン１’の表面側から気体を吸い込むことができる。そして、カバー１の吹き出し口１２及びファンユニット２の吹き出し部がマスク用ファン１’の１つの側面といった同一箇所に位置していることによって、図３の矢印Ａ２に示すように、マスク用ファン１’の１つの側面側から気体を吹き出すことができる。
【００２３】
なお、本実施形態では、マスク用ファン１’を構成するファンユニット２とカバー１との外周縁の形状は、それぞれ略正方形である場合を例示したが、かかる形状であることに限定されず、長方形といった矩形であってもよく、ほぼ同一形状つまり同一の角数の多角形であってもよい。その場合、マスク用ファン１’は、表面側といった同一箇所に、カバー１の吸い込み口１１及びファンユニット２の吸い込み部が配置され、相互に同一箇所に位置する１つの側面に、カバー１の吹き出し口１２及びファンユニット２の吹き出し部が配置されるよう構成される。また、マスク用ファン１’を構成するファンユニット２とカバー１との外周縁の形状は、多角形であることにも限定されず、楕円形や円形であってもよく、いかなる形状であってもよい。
【００２４】
次に、上述したマスク用ファン１’をマスク３に装着する場合について説明する。図４（１）はマスク３の外面３Ａを示しており、図４（２）はマスク３の内面３Ｂを示している。
【００２５】
本実施形態では、図４（２）に示すように、マスク３の内面３Ｂに、マスク用ファン１’をサージカルテープ３１で張り付けて装着する。このとき、マスク３の内面３Ｂにマスク用ファン１’の表面が対向するよう、つまり、マスク３の内面３Ｂ側にカバー１の吸い込み口１１及びファンユニット２の吸い込み部が位置するよう配置して、マスク用ファン１’を装着する。また、このとき、マスク用ファン１’の側面のうち、カバー１の吹き出し口１２及びファンユニット２の吹き出し部が位置する側面が上方を向くよう、マスク用ファン１’を配置して装着する。さらに、このとき、マスク用ファン１’を、マスク３の下端付近に位置するよう当該マスク３の内部に装着する。例えば、人物Ｐがマスク３を着用した時に当該人物Ｐの顔の顎が位置する箇所付近にマスク用ファン１’が位置するよう、当該マスク用ファン１’をマスク３の内部に装着する。
【００２６】
図５に、上述したようにマスク用ファン１’を装着したマスク３を、人物Ｐが着用したときの様子を示す。この図に示すように、人物Ｐがマスク３を着用することによって、マスク用ファン１’が人物Ｐの顔の顎付近に位置することとする。そして、マスク用ファン１’のファンユニット２を駆動させることで、図５の矢印Ａ１に示すように、マスク３の外面側からマスク３の内部に気体が吸い込まれ、図５の矢印Ａ２に示すように、ファンユニット２の上方からマスク３の内部に気体が吹き出されることとなる。この吹き出された気体は、マスク３の内部つまり人物Ｐの顔のマスク３で覆われている領域を通過して、マスク３の外部に流出することとなる。このため、マスク３で覆われている人物Ｐの顔領域を換気することができる。その結果、感染症対策等のために夏の高温・多湿といった環境下で人物Ｐがマスク３を着用した場合であっても、体温のさらなる上昇を抑制し、熱中症のリスクを抑制することができる。
【００２７】
なお、上記では、マスク３の内面にマスク用ファン１’をサージカルテープ３１で張り付けて装着する場合を例示したが、いかなる装着具を用いてマスク用ファン１’をマスク３の内面に装着してもよい。例えば、図６に示すように、マスク３の内面３Ｂの下端付近に、底部と側部が閉塞し、上部が開口したポケット３２を装着具として設け、かかるポケット３２の内部にマスク用ファン１’を収容することで、当該マスク用ファン１’をマスク３の内面に装着してもよい。
【００２８】
以上、上記実施形態等を参照して本願考案を説明したが、本願考案は、上述した実施形態に限定されるものではない。本願考案の構成や詳細には、本願考案の範囲内で当業者が理解しうる様々な変更をすることができる。
【符号の説明】
【００２９】
１’  マスク用ファン
１  カバー
１０Ａ  表面側カバー部材
１０Ｂ  裏面側カバー部材
１１  吸い込み口
１２  吹き出し口
２  ファンユニット
２０  ランナー
３  マスク
３１  サージカルテープ
３２  ポケット
【図１】
0003228733.tif 000003
【図２】
0003228733.tif 000004
【図３】
0003228733.tif 000005
【図４】
0003228733.tif 000006
【図５】
0003228733.tif 000007
【図６】
0003228733.tif 000008